【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
（ａ）潤滑粘度の油と、
（ｂ）油溶性チタン含有材料の形態における１００万重量部当たり２０〜３００重量部のチタンと、
（ｃ）油溶性モリブデン含有材料の形態における１００万重量部当たり４０〜５００重量部のモリブデンと、
（ｄ）０．３〜３重量パーセントのヒンダードフェノール性酸化防止剤と、
少なくとも１つの添加剤であって、
（ｅ）耐摩耗剤、および
（ｆ）分散剤
からなる群から選択される少なくとも１つの添加剤と
を含む潤滑組成物。
【請求項２】
前記油溶性チタン含有材料が、チタン（ＩＶ）アルコキシドもしくはチタン（ＩＶ）カルボキシレートまたはその混合物を含む、請求項１に記載の潤滑組成物。
【請求項３】
前記油溶性チタン含有材料が、チタン（ＩＶ）イソプロポキシドもしくはチタン（ＩＶ）２−エチルヘキソキシドまたはその混合物を含む、請求項１または請求項２に記載の潤滑組成物。
【請求項４】
前記油溶性チタン含有材料が、チタン改質分散剤を含む、請求項１または請求項２に記載の潤滑組成物。
【請求項５】
前記油溶性チタン含有材料が、チタンアルコキシドとヒドロカルビル置換無水コハク酸との反応生成物を含む、請求項１または請求項２のいずれかに記載の潤滑組成物。
【請求項６】
前記チタンの量が、１００万重量部当たり５０〜１４０重量部である、請求項１から５のいずれかに記載の潤滑組成物。
【請求項７】
前記油溶性モリブデン含有材料が、モリブデンヒドロカルビルジチオカルバメートを含む、請求項１から６のいずれかに記載の潤滑組成物。
【請求項８】
前記モリブデンの量が、１００万重量部当たり７０〜１５０重量部である、請求項１から７のいずれかに記載の潤滑組成物。
【請求項９】
前記ヒンダードフェノール性酸化防止剤が、ヒンダードフェノール性エステル酸化防止剤を含む、請求項１から８のいずれかに記載の潤滑組成物。
【請求項１０】
前記フェノール性酸化防止剤の量が、０．７〜２．０重量パーセントである、請求項１から９のいずれかに記載の潤滑組成物。
【請求項１１】
前記組成物中のリンの量が、１００万重量部当たり１０００重量部未満である、請求項１から１０のいずれかに記載の潤滑組成物。
【請求項１２】
前記潤滑組成物中の前記チタンの量が、１００万重量部当たり５０〜１４０重量部であり、前記潤滑組成物中の前記モリブデンの量が、１００万重量部当たり７０〜１５０重量部であり、前記ヒンダードフェノール性酸化防止剤が、ヒンダードフェノール性エステル酸化防止剤を含み、０．７〜２．０重量パーセントの量で存在し、前記潤滑組成物中の前記リンの量が、１００万重量部当たり１０００重量部未満であり、前記油溶性チタン化合物がチタンアルコキシドを含む、請求項１から１１のいずれかに記載の潤滑組成物。
【請求項１３】
（ｇ）前記組成物に対して１００万重量部当たり１００〜２０００重量部のナトリウムを付与する量のナトリウム含有清浄剤をさらに含む、請求項１から１２のいずれかに記載の潤滑組成物。
【請求項１４】
（ｈ）０．１〜２．０重量パーセントの、ヒドロキシカルボン酸またはそのエステル、アミド、イミドもしくは塩、または複数の先の官能基を有するその誘導体を含む成分をさらに含む、請求項１から１３のいずれかに記載の潤滑組成物。
【請求項１５】
内燃機関に、請求項１から１４のいずれかに記載の潤滑組成物を供給するステップを含む、前記内燃機関を潤滑する方法。
【手続補正２】
【補正対象書類名】明細書
【補正対象項目名】０００９
【補正方法】変更
【補正の内容】
【０００９】
【特許文献１】米国特許出願公開第２００６−０２１７２７１号明細書
【特許文献２】米国特許第７，６１５，５２０号明細書
【特許文献３】米国特許第７，６１５，５１９号明細書
【特許文献４】米国特許第６，６４２，１８７号明細書
【特許文献５】国際公開第２００６／０４４４１１号
【手続補正３】
【補正対象書類名】明細書
【補正対象項目名】００１４
【補正方法】変更
【補正の内容】
【００１４】
開示されている技術は、さらに、内燃機関に前述の潤滑組成物を供給することによって、内燃機関を潤滑する方法を提供する。
一実施形態において、例えば、以下の項目が提供される。
（項目１）
（ａ）潤滑粘度の油と、
（ｂ）油溶性チタン含有材料の形態における１００万重量部当たり約２０〜約３００重量部のチタンと、
（ｃ）油溶性モリブデン含有材料の形態における１００万重量部当たり約４０〜約５００重量部のモリブデンと、
（ｄ）約０．３〜約３重量パーセントのヒンダードフェノール性酸化防止剤と
を含む潤滑組成物。
（項目２）
前記油溶性チタン含有材料が、チタン（ＩＶ）アルコキシドもしくはチタン（ＩＶ）カルボキシレートまたはその混合物を含む、項目１に記載の潤滑組成物。
（項目３）
前記油溶性チタン含有材料が、チタン（ＩＶ）イソプロポキシドもしくはチタン（ＩＶ）２−エチルヘキソキシドまたはその混合物を含む、項目１または項目２に記載の潤滑組成物。
（項目４）
前記油溶性チタン含有材料が、チタン改質分散剤を含む、項目１または項目２に記載の潤滑組成物。
（項目５）
前記油溶性チタン含有材料が、チタンアルコキシドとヒドロカルビル置換無水コハク酸との反応生成物を含む、項目１または項目２のいずれかに記載の潤滑組成物。
（項目６）
前記チタンの量が、１００万重量部当たり約５０〜約１４０重量部である、項目１から５のいずれかに記載の潤滑組成物。
（項目７）
前記油溶性モリブデン含有材料が、モリブデンヒドロカルビルジチオカルバメートを含む、項目１から６のいずれかに記載の潤滑組成物。
（項目８）
前記モリブデンの量が、１００万重量部当たり約７０〜約１５０重量部である、項目１から７のいずれかに記載の潤滑組成物。
（項目９）
前記ヒンダードフェノール性酸化防止剤が、ヒンダードフェノール性エステル酸化防止剤を含む、項目１から８のいずれかに記載の潤滑組成物。
（項目１０）
前記フェノール性酸化防止剤の量が、約０．７〜約２．０重量パーセントである、項目１から９のいずれかに記載の潤滑組成物。
（項目１１）
前記組成物中のリンの量が、１００万重量部当たり約１０００重量部未満である、項目１から１０のいずれかに記載の潤滑組成物。
（項目１２）
前記潤滑組成物中の前記チタンの量が、１００万重量部当たり約５０〜約１４０重量部であり、前記潤滑組成物中の前記モリブデンの量が、１００万重量部当たり約７０〜約１５０重量部であり、前記ヒンダードフェノール性酸化防止剤が、ヒンダードフェノール性エステル酸化防止剤を含み、約０．７〜約２．０重量パーセントの量で存在し、前記潤滑組成物中の前記リンの量が、１００万重量部当たり約１０００重量部未満であり、前記油溶性チタン化合物がチタンアルコキシドを含む、項目１から１１のいずれかに記載の潤滑組成物。
（項目１３）
（ｅ）耐摩耗剤、および
（ｆ）分散剤
からなる群から選択される少なくとも１つの添加剤をさらに含む、項目１から１２のいずれかに記載の潤滑組成物。
（項目１４）
（ｇ）前記組成物に対して１００万重量部当たり約１００〜約２０００重量部のナトリウムを付与する量のナトリウム含有清浄剤をさらに含む、項目１から１３のいずれかに記載の潤滑組成物。
（項目１５）
（ｈ）約０．１〜約２．０重量パーセントの、ヒドロキシカルボン酸またはそのエステル、アミド、イミドもしくは塩、または複数の先の官能基を有するその誘導体を含む成分をさらに含む、項目１から１４のいずれかに記載の潤滑組成物。
（項目１６）
（ａ）潤滑粘度の油と、
（ｂ）油溶性チタン含有材料の形態における１００万重量部当たり約２００〜約２０００重量部のチタンと、
（ｈ）約０．１〜約２．０重量パーセントの、ヒドロキシカルボン酸またはそのエステル、アミド、イミドもしくは塩、または複数の先の官能基を有するその誘導体を含む成分とを含む潤滑組成物。
（項目１７）
前記（ｈ）の成分が、酒石酸、リンゴ酸、グリコール酸もしくはクエン酸またはそのエステル、アミド、イミド、もしくは塩を含む、項目１６に記載の潤滑組成物。
（項目１８）
前記（ｈ）の成分が、オレイル酒石酸イミドまたは酒石酸と、約８〜約１８個の炭素原子を有する１つもしくは複数のアルコールとのジエステルを含む、項目１６に記載の潤滑組成物。
（項目１９）
（ｇ）Ｔｉ含有清浄剤以外の金属含有清浄剤をさらに含む、項目１６から１８のいずれかに記載の潤滑組成物。
（項目２０）
前記金属含有清浄剤が、ナトリウム含有清浄剤を含む、項目１９に記載の潤滑組成物。
（項目２１）
前記ナトリウム含有清浄剤が、前記潤滑組成物に対して１００万重量部当たり約１００〜約２０００重量部のナトリウムを付与する、項目２０に記載の潤滑組成物。
（項目２２）
（ｃ）油溶性モリブデン含有材料の形態における１００万重量部当たり約４０〜約５００重量部のモリブデンをさらに含む、項目１６から２１のいずれかに記載の潤滑組成物。
（項目２３）
（ａ）潤滑粘度の油と、
（ｂ）油溶性チタン含有材料の形態における１００万重量部当たり約２０〜約２００重量部のチタンと、
（ｇ）前記組成物に対して１００万重量部当たり約１００〜約２０００重量部のナトリウムを付与する量のナトリウム含有清浄剤と
を含む潤滑組成物。
（項目２４）
前記油溶性チタン含有材料が、約２０，０００未満の数平均分子量を有する、項目１から２３のいずれかに記載の潤滑組成物。
（項目２５）
内燃機関に、項目１から２４のいずれかに記載の潤滑組成物を供給するステップを含む、前記内燃機関を潤滑する方法。